(57)【要約】【課題】被取付部材の取付側から容易に取り外すことが可能な固定具を提供する。【解決手段】固定具１の保持部４の台座部４ｄを弾性変形可能なように枠状とし、一対の保持部分４ａ，４ｂを互いに近づける方向に押圧すると弾性変形し、かつ、その押圧を解除すると一対の保持部分４ａ，４ｂを元の状態に戻すように弾性復元するようにした。そして、取付部５の一対の取付部分５ａ，５ｂを、一対の保持部分４ａ，４ｂを互いに近づく方向に押圧すると互いに近づく方向に連動するように一対の保持部分４ａ，４ｂの各々に接続した。これにより、保持部４を摘むことにより、固定具１を取付板３の取付側から取り外すことができるので、固定具１の取り外し作業を容易にすることができる。【選択図】図１
2011196445.tif 000002
【特許請求の範囲】
【請求項１】
被固定物を保持する保持部と、該保持部を被取付部材に着脱自在の状態で取り付ける取付部とを一体的に備える固定具において、
前記保持部は、第１間隔を保って対向する一対の保持部分と、該一対の保持部分を互いに接続する弾性変形可能な台座部とを備えており、
前記取付部は、前記台座部の下方に設けられ、前記第１間隔よりも狭い第２間隔を保って対向する一対の取付部分と、該一対の取付部分の各々の外周に突設された係止部とを備えており、
前記一対の取付部分は、前記取付部の先端において接続されているとともに、前記取付部の後端側において前記一対の保持部分の各々に接続されている固定具。
【請求項２】
前記台座部は、枠状に形成されている請求項１記載の固定具。
【請求項３】
前記台座部は、その枠面が前記一対の保持部分の延在方向に対して交差するように一体的に接続されている請求項２記載の固定具。
【請求項４】
前記保持部を前記被取付部材に取り付けた場合に前記被取付部材を押さえる押さえ部を一体的に設けた請求項１、２または３記載の固定具。
【発明の詳細な説明】
【技術分野】
【０００１】
本発明は、固定具に関し、更に詳しくは、シャーシ、パネルまたは壁等のような被取付部材に配線や配管等を固定する固定具を被取付部材の取付側から容易に取り外すことが可能な固定具に関する。
【背景技術】
【０００２】
自動車や電子機器等の配線経路においては、例えば配線同士のかさばりや配線から配線基板等への電気的干渉を防止する等の観点から、配線等を保持してシャーシやパネル等の被取付部材の所望の位置に固定する様々な合成樹脂製の固定具が使用されている。
【０００３】
この固定具は、配線等を保持する保持部と、その保持部の底面に垂設されたシャーシ等への取付部とを備えており、その取付部を被取付部材の孔内に挿入し係止させることにより被取付部材に取り付けている。
【０００４】
ところで、近年、固定具においては、メンテナンスおよび解体作業の容易化の要求等が高まっており、固定具を被取付部材の取付側から容易に取り外すことが可能なように様々な工夫がなされている。
【０００５】
例えば固定具の取付部に、固定具を取り外すための操作部を接続し、これを保持部の底面と被取付部材の取付側との間から左右の両側または片側から引き出し、その操作部を手指で左右から摘んだり押したりすることで取付部の幅を縮めて固定具を被取付部材の取付側から取り外せるようにした構造がある（例えば特許文献１，２，３参照）。
【０００６】
しかしながら、これら特許文献１〜３の場合、固定具を取り外すための操作部が極めて小さい上、固定具の底部に設けられているので、固定具の上側の保持部や隣接部材（他の配線、電子機器または壁等）に邪魔されて、操作部を手指で摘んだり押したりすることが難しい。このため、取付部に上手く力を伝えることができないので、取付部が充分に縮小変形しない場合があり、その状態で固定具を引き抜こうとすると、固定具の取付部が被取付部材の孔に引っ掛かり固定具を上手く抜くことができない場合がある。また、操作部を摘むことができたとしても、安定性を欠くので片手では固定具を取り外すことができず、一方の手指で操作部を摘みながら、他方の手指で固定具を引き抜くというように両手を使って作業をしなければならない場合もある。また、作業者が作業手袋をしている時には、操作部が小さすぎて上手く摘めない場合もある。このように固定具の取り外し作業に支障をきたす場合がある、という問題がある。
【０００７】
また、特許文献１〜３とは異なる構造の固定具として、ケーブルタイと、これを固定するヘッド部とを備え、そのヘッド部の底面に取付部を設けて固定具を被取付部材に着脱自在に取り付けた固定具がある。その中には、取り外し操作部をヘッド部の底面から側面に沿って折り曲げ上部まで引き出してヘッド部に接続している構造もある（例えば特許文献４参照）。
【０００８】
しかしながら、上記した特許文献１〜３を含め特許文献４では、固定具の外形が複雑になり過ぎて成型が難しい、という問題がある。
【先行技術文献】
【特許文献】
【０００９】
【特許文献１】特開平６−２７５９６７号公報
【特許文献２】実開平７−１０５１８号公報
【特許文献３】特開２００７−１０１４０号公報
【特許文献４】特開２００４−２７４０７３号公報
【発明の概要】
【発明が解決しようとする課題】
【００１０】
本発明の目的は、シャーシ等の被取付部材の取付側から容易に取り外すことが可能な固定具を提供することにある。
【００１１】
本発明の他の目的は、成型を容易にすることが可能な固定具を提供することにある。
【課題を解決するための手段】
【００１２】
上記の目的を達成するための本発明の固定具は、被固定物を保持する保持部と、該保持部を被取付部材に着脱自在の状態で取り付ける取付部とを一体的に備える固定具において、前記保持部は、第１間隔を保って対向する一対の保持部分と、該一対の保持部分を互いに接続する弾性変形可能な台座部とを備えており、前記取付部は、前記台座部の下方に設けられ、前記第１間隔よりも狭い第２間隔を保って対向する一対の取付部分と、該一対の取付部分の各々の外周に突設された係止部とを備えており、前記一対の取付部分は、前記取付部の先端において接続されているとともに、前記取付部の後端側において前記一対の保持部分の各々に接続されている。
【００１３】
また、上記の固定具において、前記台座部は、枠状に形成されている。
【００１４】
また、上記の固定具において、前記台座部は、その枠面が前記一対の保持部分の延在方向に対して交差するように一体的に接続されている。これにより、固定具で被固定物を保持する前に、固定具を被取付部材に取り付ける場合において、固定具の台座部の枠内から取付部と被取付部材の孔の一部とを見ることができるので、固定具の取付部と被取付部材の孔との位置関係を容易に把握することができる。このため、固定具の取付作業を容易にすることができる。
【００１５】
また、上記の固定具において、前記保持部を前記被取付部材に取り付けた場合に前記被取付部材を押さえる押さえ部を一体的に設けた。固定具を取り外すための操作部が必要なくなるので、押さえ部の幅を広くすることができる。このため、固定具を被取付部材に固定した場合の安定性を向上させることができる。
【発明の効果】
【００１６】
本発明の固定具によれば、保持部の台座部を弾性変形可能としたことにより、保持部の一対の保持部分を互いに近づく方向に手指で左右から摘むと台座部が弾性変形し、一対の保持部分の各々に接続されている一対の取付部分を互いに近づく方向に連動させることができる。この状態で、固定部を被取付部材から引き抜くことで、固定具を被取付部材の取付側から取り外すことができる。すなわち、比較的大きくて安定して摘むことが可能な一対の保持部分を摘むことで固定具を取り外せるので、固定具を容易に取り外すことができる。このため、メンテナンスや解体作業の作業性を向上させることができる。
【００１７】
また、固定具を取り外すための操作部を別個に設ける必要が無いので、固定具の外形を簡単化することができる。このため、固定具の成型を容易にすることができるので、固定具の歩留まりを向上させることができ、固定具の量産性を向上させることができる。このため、固定具のコストを低減することができる。
【図面の簡単な説明】
【００１８】
【図１】本発明の実施の形態の固定具の全体斜視図である。
【図２】図１の固定具の正面図である。
【図３】図１の固定具の全体斜視図である。
【図４】図１の固定具の全体斜視図である。
【図５】図１の固定具の正面図である。
【図６】図５の固定具の背面図である。
【図７】図５の固定具の左側面図である。
【図８】図５の固定具の右側面図である。
【図９】図５の固定具を下から見た底面図である。
【図１０】図５の固定具を上から見た平面図である。
【図１１】固定具の取り付け作業時の正面図である。
【図１２】図１１の固定具を上から見た平面図である。
【図１３】図１１に続く固定具の取り付け作業時の正面図である。
【図１４】図１３の固定具を上から見た平面図である。
【図１５】図１３に続く固定具の取り付け作業時の正面図である。
【図１６】図１５の固定具を上から見た平面図である。
【図１７】固定具の取り外し作業時の正面図である。
【図１８】図１７の固定具を上から見た平面図である。
【図１９】図１７に続く固定具の取り外し作業時の正面図である。
【図２０】図１９の固定具を上から見た平面図である。
【図２１】図１９に続く固定具の取り外し作業時の正面図である。
【図２２】図２１に続く固定具の取り外し作業時の正面図である。
【発明を実施するための形態】
【００１９】
以下、本発明の実施の形態の固定具について添付の図面を参照しながら詳細に説明する。
【００２０】
[固定具の全体構成]
図１は本実施の形態の固定具１の斜視図、図２は図１の固定具１の正面図、図３および図４は図１の固定具１の全体斜視図、図５は図１の固定具１の正面図、図６は図５の固定具１の背面図、図７は図５の固定具１の左側面図、図８は図５の固定具１の右側面図、図９は図５の固定具１を下から見た底面図、図１０は図５の固定具１を上から見た平面図をそれぞれ示している。
【００２１】
図１および図２に示すように、固定具１は、例えば家電製品、複写機等の情報機器、自動販売機および自動車の配線経路において、複数本の配線（被固定物）２等を保持し、シャーシ、パネルまたは壁面等の取付板（被取付部材）３の所望の位置に固定する道具である。
【００２２】
この固定具１は、例えば弾性を有するプラスチックによって一体成型されており、配線２等を保持する保持部４と、保持部４を取付板３に取り付ける取付部５と、取り付けられた固定具１から取付板３に対して突っ張り力を与える押さえ部６とを備えている。配線２は、固定具１の保持部４の枠内に保持される。この保持部４の底面側には、取付部５が垂設されている。固定具１は、取付部５を取付板３の孔３ａ内に挿入して係止することで着脱自在の状態で取り付けられる。
【００２３】
[保持部の構成]
図１〜図６に示すように、保持部４は、その縦枠を形成する一対の第１、第２保持部分（一対の保持部分）４ａ，４ｂと、上横枠を形成する閉止部４ｃと、下横枠を形成する台座部４ｄとを備えている。
【００２４】
第１、第２保持部分４ａ，４ｂは、第１間隔を保って対向するように配置されている。第１保持部分４ａは、薄肉部４ｅを介して閉止部４ｃに一体的に接続されている。この閉止部４ｃの先端には、鉤状の係合部４ｆが設けられている。一方、第２保持部分４ｂの端部には、閉止部４ｃの鉤状の係合部４ｆが係合する被係合部４ｇが設けられている。この被係合部４ｇは、係合部４ｆが挿入される挿入孔４ｇｈと、挿入された係合部４ｆを固定する係合片４ｇｐとを備えている。
【００２５】
また、図１〜図６および図９、図１０に示すように、第１、第２保持部分４ａ，４ｂは、それらの間に介在された台座部４ｄによって互いに接続されている。
【００２６】
この台座部４ｄは、弾性変形および弾性復元が可能なように、例えば枠状に形成されている。これにより、第１、第２保持部分４ａ，４ｂを互いに近づく方向に押圧すると、台座部４ｄが弾性変形するので、第１、第２保持部分４ａ，４ｂを互いに近づける方向に動かすことができる。一方、その押圧を解除すると、台座部４ｄが、第１、第２保持部分４ａ，４ｂの位置関係を押圧前の状態に戻すように弾性復元するので、第１、第２保持部分４ａ，４ｂの第１間隔を保つことができる。
【００２７】
台座部４ｄの平面形状は、例えば円形状や矩形状でも良いが、略楕円枠形状に形成されていることが好ましい。そして、平面楕円形状の台座部４ｄは、その短径方向に第１、第２保持部分４ａ，４ｂが位置するように配置されている。これにより、第１、第２保持部分４ａ，４ｂを互いに近づける方向に押圧し易くすることができるので、作業性を向上させることができる。
【００２８】
また、台座部４ｄは、その長径方向が配線２の延在方向に一致し、配線２の延在方向に向かって長くなるように配置されている。これにより、複数本の配線２を安定して受け止めることができる。
【００２９】
また、台座部４ｄは、第１、第２保持部分４ａ，４ｂの延在方向に対して交差するように接続されている。これにより、配線２の受け止め長さが長いにもかかわらず、配線２の取り付け前に固定具１を取付板３に取り付ける場合において、固定具１を上から見た時に、台座部４ｄの枠内から取付部５と取付板３の孔３ａの一部とを見ることができるので、固定具１の取付部５と、取付板３の孔３ａとの位置関係を容易に把握することができる。このため、固定具１の取付作業を容易にすることができる。
【００３０】
[取付部の構成]
図１〜図１０に示すように、取付部５は、台座部４ｄの下方に設けられており、支柱を形成する一対の第１、第２取付部分（一対の取付部分）５ａ，５ｂと、その各々の先端側外周に突設された係止部５ｃとを備えている。
【００３１】
第１、第２取付部分５ａ，５ｂは、上記した第１間隔よりも狭い第２間隔を保って対向するように設けられている。この第１、第２取付部分５ａ，５ｂは、取付部５の先端において互いに接続されている。すなわち、取付部５は先端を中心に左右に折り曲げた構成になっている。そして、第１、第２取付部５ａ，５ｂには外側に向かう付勢力が働いている。
【００３２】
また、第１、第２取付部分５ａ，５ｂは、取付部５の後端側（保持部４側）において第１、第２保持部分４ａ，４ｂの各々に接続されている。これにより、本実施の形態の固定具１においては、保持部４の第１、第２保持部分４ａ，４ｂを互いに近づく方向に押圧すると、取付部５の第１、第２取付部分５ａ，５ｂも互いに近づく方向に連動する。すなわち、第１、第２保持部分４ａ，４ｂを互いに近づく方向に押圧することで、第１、第２取付部分５ａ，５ｂを互いに近づく方向に連動させて、取付部５を取付板３の孔３ａから取り外すことができる。したがって、後述のように、固定具１を取付板３の取付側から容易に取り外すことができる。
【００３３】
また、固定具１を取り外すための操作部を無くせるので、台座部４ｄの上面から取付板３の上面までの距離ｄ１（図２参照）を短くすることができる。このため、電波障害を減衰させることができる。
【００３４】
また、固定具１を取り外すための操作部を無くせるので、固定具１の取り付け時に、固定具１を取り外すための操作部が障害になるという不具合を無くせる。このため、固定具１の取り付け作業性を向上させることができる。
【００３５】
さらに、固定具１を取り外すための操作部を無くせるので、固定具１の外形（構造）を簡単化することができる。このため、固定具１の金型成型を容易にすることができるので、歩留まりを向上させることができ、量産性を向上させることができる。したがって、固定具１のコストを低減することができる。
【００３６】
このような取付部５の先端は、その径が先端に向かって次第に小さくなるように矢尻状に形成されている。すなわち、第１、第２取付部分５ａ，５ｂの先端側外周は、係止部５ｃから先端に向かって傾斜している。これにより、取付部５を取付板３の孔３ａに挿入し易くなっている。なお、取付部５の先端面は、図９に示すように、第１、第２取付部分５ａ，５ｂの隣接方向の長さの方が、これに直交する方向よりも長く、取付板３の孔３ａの直径よりも大きくなっている。
【００３７】
係止部５ｃは、取付板３の孔３ａに挿入された取付部５を係止する部分である。係止部５ｃには、第１、第２取付部分５ａ，５ｂの側面に直交するように係止面（段差面）５ｃｓが形成されている。取付部５を取付板３の孔３ａに挿入すると、この係止面５ｃｓが取付板３の裏面（取付部５を挿入した面の裏側の面）の孔３ａの周辺部分に接触した状態で引っ掛かることで、取付部５は取付板３に係止される。
【００３８】
[押さえ部の構成]
図１〜図１０に示すように、押さえ部６は、固定具１を取付板３に取り付けた時に取付板３を押さえる部材であり、固定具１の左右において、第１、第２保持部分４ａ，４ｂと、第１、第２取付部分５ａ，５ｂとの外側交差部から取付板３に向かって弾性を持つように延在した状態で形成されている。取付板３は、押さえ部６と係止部５ｃとで挟持される。この押さえ部６により、振動等が生じても、固定具１が取付板３から簡単に外れないようになっている。
【００３９】
また、上記した特許文献１〜４の場合、固定具１を取り外すための操作部を押さえ部の横に設けるため、押さえ部の幅が短くなる。これに対して、本実施の形態の固定具１においては、固定具１を取り外すための操作部を無くすことができるので、この押さえ部６の幅を広くすることができる。このため、固定具１を取付板３に取り付けた時の安定性を向上させることができる。したがって、配線２等をしっかりと固定することができる。
【００４０】
[固定具の取り付け方法]
次に、固定具１の取り付け方法について図１１〜図１６を参照して説明する。なお、図１１〜図１６の偶数番号は固定具１の取り付け作業時の正面図を示し、奇数番号は直前の図の固定具１を上から見た平面図を示している。また、ここでは、固定具１を取付板３に取り付けてから固定具１で配線２等を保持する場合について説明するが、配線２等を保持した固定具１を取付板３に取り付けても良い。
【００４１】
まず、図１１および図１２に示すように、固定具１の取付部５を、取付板３の孔３ａにあてる。この時、上記した特許文献１〜４等の場合、固定具の取付部の位置が分からないので、おおよその見当をつけるか斜め方向から見ることで固定具の取付部を取付板の孔内に差し入れるようにしている。このため、固定具の取付部と取付板の孔の位置が一致しない場合がある。また、固定具１の装着箇所に他の部材（配線、電子部材あるいは壁等）があり、取付板の孔の位置を斜めから確認し難い場合もある。このため、固定具の取り付け作業が煩雑になる場合がある。
【００４２】
これに対して、本実施の形態の固定具１においては、図１２に示すように、台座部４ｄが枠状に形成されているので、台座部４ｄの枠内から取付部５と取付板３の孔３ａの一部とを見ることができる。このため、固定具１の取付部５と取付板３の孔３ａとの位置関係を容易に把握することができるので、固定具１の取付作業を容易にすることができる。
【００４３】
また、本実施の形態の固定具１においては、背景技術で説明した特許文献１〜３に記載の固定具を取り外すための操作部が無いので、その操作部が固定具１の取り付け時の障害になるという不具合を無くせる。このため、固定具１の取り付け作業性を向上させることができる。
【００４４】
続いて、図１３および図１４に示すように、固定具１の取付部５を取付板３の孔３ａ内に差し込む。本実施の形態の固定具１においては、取付部５の第１、第２取付部分５ａ，５ｂの隣接方向の長さが、孔３ａの直径より大きいので、取付部５の係止部５ｃが孔３ａを通過するまでは、第１、第２取付部分５ａ，５ｂが互いに近づく方向に撓む。この時、第１、第２保持部分４ａ，４ｂが互いに近づく方向に動けるように台座部４ｄも弾性変形する。
【００４５】
続いて、図１５および図１６に示すように、固定具１の取付部５の係止部５ｃが孔３ａを通過すると、取付部５の第１、第２取り付け部分５ａ，５ｂおよび台座部４ｄは、取り付け前の元の状態に戻るように弾性復元する。同時に、押さえ部６が取付板３を押さえる。これにより、固定具１は、取付板３にしっかりと取り付けられる。
【００４６】
なお、この後、配線２等を、保持部４の枠内に収めてから薄肉部４ｅを起点として閉止部４ｃを折り曲げて、閉止部４ｃの先端の係合部４ｆを第２保持部４ｂの先端の被係合部４ｇに嵌めることにより配線２等を保持する。
【００４７】
[固定具の取り外し方法]
次に、固定具１の取り外し方法について図１７〜図２２を参照して説明する。なお、図１７、図１９、図２１および図２２は、固定具１の取り外し作業時の正面図を示し、図１８、図２０は直前の図の固定具１を上から見た平面図を示している。また、図１７、図１９、図２１および図２２では配線２を破線で示し、図１８および図２０では保持部に保持された配線２等を省略している。
【００４８】
まず、図１７および図１８に示すように、固定具１の第１、第２保持部分４ａ，４ｂを片方の手指で摘み、第１、第２保持部分４ａ，４ｂを左右から互いに近づく方向に押圧する。
【００４９】
このため、図１９および図２０に示すように、固定具１の台座部４ｄも第１、第２保持部分４ａ，４ｂが近づくことが可能なように弾性変形するとともに、取付部５の第１、第２取付部分５ａ，５ｂも互いに近づく方向に連動する。これにより、取付部５の第１、第２取付部分５ａ，５ｂの隣接方向の長さを取付板３の孔３ａの径よりも小さくする。
【００５０】
その状態で、図２１に示すように、固定具１を取付板３から離れる方向に引き、取付板３の取付側から取り外す。その後、図２２に示すように、手指からの押圧を解除すると、台座部４ｄおよび第１、第２取付部分５ａ，５ｂの弾性復元により、固定具１の第１、第２保持部分４ａ，４ｂおよび第１、第２取付部分５ａ，５ｂの各々の間隔が、手指による押圧前の元の状態に戻る。
【００５１】
このように、本実施の形態の固定具１においては、第１、第２保持部分を押圧することで、固定具１を取付板３の取付側から取り外すことができる。この際、固定具１の保持部４の第１、第２保持部分４ａ，４ｂは、背景技術で説明した特許文献１〜３の固定具を取り外すための操作部よりも大きいので、片方の手指でも、また、仮に作業手袋をしているような場合でも、しっかりと安定して摘むことができる。
【００５２】
また、固定具１の保持部４は、特許文献１〜３の固定具を取り外すための操作部より上方（取付板３から離れた位置）にあるので、第１、第２保持部分４ａ，４ｂを摘む時に、保持部４自体に邪魔されることはないし、他の配線や電子部品あるいは壁面に邪魔され難い。
【００５３】
したがって、固定具１を取付板３の取付側から容易に取り外すことができる。このため、固定具１を用いている機器等のメンテナンスや解体作業の作業性を向上させることができる。例えば自動車や機器等の解体作業に際して、固定具１を力任せに引き抜くと、取付板３の取付側の裏側に固定具１の矢尻状の先端部分が残されてしまい、解体作業やリサイクル作業の作業性を損なう場合がある。これに対して、本実施の形態の固定具１の場合は、固定具１を取付板３の取付側から容易に取り外すことができ、取付板３の裏側に固定具１の矢尻状の先端部が残らないので、解体作業およびリサイクル作業の作業性を向上させることができる。
【産業上の利用可能性】
【００５４】
本発明の固定具は、固定具を被取付部材の取付側から容易に取り外すことができるので、例えば家電製品、複写機等のような情報機器、自動販売機あるいは自動車の配線、配管または電子部品等を被取付部材に固定する固定具に利用できる。
【符号の説明】
【００５５】
１  固定具
２  配線（被固定物）
３  取付板（被取付部材）
３ａ  孔
４  保持部
４ａ  第１保持部分（一対の保持部分）
４ｂ  第２保持部分（一対の保持部分）
４ｄ  台座部
５  取付部
５ａ  第１取付部分（一対の取付部分）
５ｂ  第２取付部分（一対の取付部分）
５ｃ  係止部
５ｃｓ  係止面
６  押さえ部
【図１】
2011196445.tif 000003
【図２】
2011196445.tif 000004
【図３】
2011196445.tif 000005
【図４】
2011196445.tif 000006
【図５】
2011196445.tif 000007
【図６】
2011196445.tif 000008
【図７】
2011196445.tif 000009
【図８】
2011196445.tif 000010
【図９】
2011196445.tif 000011
【図１０】
2011196445.tif 000012
【図１１】
2011196445.tif 000013
【図１２】
2011196445.tif 000014
【図１３】
2011196445.tif 000015
【図１４】
2011196445.tif 000016
【図１５】
2011196445.tif 000017
【図１６】
2011196445.tif 000018
【図１７】
2011196445.tif 000019
【図１８】
2011196445.tif 000020
【図１９】
2011196445.tif 000021
【図２０】
2011196445.tif 000022
【図２１】
2011196445.tif 000023
【図２２】
2011196445.tif 000024